(57)【特許請求の範囲】
【請求項１】
筒体と、筒体の内部に収納された噴出体と、噴出体を発射させる発射体とを備え、噴出体は、噴出本体と噴出本体に紐体を介して連結される落下傘とを備える発射器具において、紐体が落下傘に巻き付いていることを特徴とする発射器具。
【請求項２】
落下傘は折畳まれていることを特徴とする請求項１に記載の発射器具。
【請求項３】
落下傘は、その下部が内側となるように折畳まれていることを特徴とする請求項１又は２に記載の発射器具。
【請求項４】
紐体の巻き付け位置は、折畳まれた落下傘の中央であることを特徴とする請求項２又は３に記載の発射器具。
【請求項５】
紐体の巻き付け方向は、筒体の軸線方向であることを特徴とする請求項１乃至４の何れかに記載の発射器具。
【請求項６】
噴出本体は、落下傘の前方側に配置されていることを特徴とする請求項１乃至５の何れかに記載の発射器具。
【請求項７】
噴出本体と落下傘とが接していることを特徴とする請求項１乃至６の何れかに記載の発射器具。
【発明の詳細な説明】
【技術分野】
【０００１】
本発明は、火薬体を爆発させることにより、或いは、圧縮気体の圧力により、噴出体を発射させる発射器具であって、各種宴会や結婚式等の祝宴などを盛り上げるために用いられる発射器具に関する。
【背景技術】
【０００２】
従来、各種宴会や結婚式等の祝宴などを盛り上げるために用いられる発射器具としては、例えば、火薬体を爆発させることにより噴出体を発射させるものが知られている。該発射器具は、円錐状の筒体と、筒体の内部に収納された噴出体と、噴出体を発射させる発射体としての火薬体と、火薬体に固定され筒体の外部に引き出された引き紐とを備えたものが知られており、最近では特に、噴出体が噴出本体と噴出本体に紐体を介して連結される落下傘とを備えたものが知られている（下記特許文献１及び２参照）。
【０００３】
このような発射器具の噴出体は、落下傘が筒体の内部で少し開いた状態となり、紐体が噴出本体と落下傘との間で緩んだ状態となるように筒体の内部に収納されている。よって、引き紐を強く引いて火薬体を発火・爆発させてその爆圧によって噴出体を発射させると、瞬時に落下傘が開く。そうすると、開いた落下傘が空気抵抗を受けることによって、噴出体全体の発射の勢いが瞬時に低減し、発射された噴出体の飛距離が短くなる。従って、上記発射器具は、例えば自宅の部屋等のような狭い場所での祝宴など（例えばホームパーティなど）に用いる場合には適しており、演出効果を十分に発揮することができる。
【特許文献１】実開平５−５２６００号公報
【特許文献２】登録実用新案第３００６１２１号公報
【発明の開示】
【発明が解決しようとする課題】
【０００４】
しかしながら、上記従来の発射器具にあっては、噴出体の飛距離が短いので、例えば、披露宴会場や庭等のような広い場所での祝宴などに用いる場合には適しておらず、演出効果を十分に発揮することができない。
【０００５】
そこで、本発明は、上記従来の問題に鑑みてなされ、落下傘を備える噴出体を遠くまで飛ぶようにすることで、広い場所で十分に演出効果を発揮することができる発射器具を提供することを課題とする。
【課題を解決するための手段】
【０００６】
本発明は、上記課題を解決すべくなされたものであり、本発明に係る発射器具は、筒体と、筒体の内部に収納された噴出体と、噴出体を発射させる発射体とを備え、噴出体は、噴出本体と噴出本体に紐体を介して連結される落下傘とを備える発射器具において、紐体が落下傘に巻き付いていることを特徴とする。
【０００７】
該構成の発射器具にあっては、紐体は落下傘に巻き付いているので、発射体を操作すると、紐体は、発射後に空中を飛びながらほどけ、紐体が落下傘からほどけた後に、落下傘が開く。
【０００８】
特に、落下傘は折畳まれていることが好ましい。落下傘が折畳まれていると、紐体が落下傘からほどけるまでの間だけでなく、落下傘が折畳んだ状態から開いた状態となるまでの間においても、噴出体は勢い良く飛ぶこととなる。よって、噴出体をより遠くまで飛ばすことができる。
【０００９】
更に、落下傘は、その下部が内側となるように折畳まれていることが好ましく、発射器具を使用しないときに、落下傘の折畳み状態や紐体の巻き付け状態が保持され易くなる。
【００１０】
また更に、紐体の巻き付け位置は、折畳まれた落下傘の中央であることが好ましく、発射前に不用意に紐体がほどけにくく、しかも、発射後にはスムーズにほどける。
【００１１】
また、紐体の巻き付け方向は、筒体の軸線方向であることが好ましく、紐体がほどける方向が筒体の軸線方向となるので、噴出体が飛んでいる際中に、紐体が落下傘からほどけ易くなる。
【００１２】
更に、噴出本体は、落下傘の前方側に配置されていることが好ましい。噴出体が飛んでいる際中に、噴出本体が落下傘に先行して落下傘を引っ張るように飛ぶので、落下傘を噴出本体の後方側で確実に開かせることができる。
【００１３】
また更に、噴出本体と落下傘とが接していると、発射体からの動力を効率良く噴出体を発射させるための動力として利用することができる。
【発明の効果】
【００１４】
このように、本発明に係る発射器具にあっては、紐体が落下傘に巻き付いているので、紐体は発射後に飛びながら落下傘からほどける。よって、落下傘は、従来のように発射すると瞬時に開くのではなく、紐体がほどけた後に開くこととなるので、噴出体は、落下傘が開くまでの間に勢い良く遠くまで飛ぶ。故に、例えば、披露宴会場や庭等のような広い場所での祝宴などに用いた場合に、十分に演出効果を発揮することができるという効果を奏する。
【発明を実施するための最良の形態】
【００１５】
以下、本発明に係る発射器具の一実施形態について図面を参酌しつつ説明する。
図１に、本実施形態における発射器具１が示されている。該発射器具１は、圧縮気体の圧力により噴出体２を発射させるものであり、筒体３と筒体３の内部に収納された噴出体２と噴出体２を発射させる発射体４とを備える。尚、発射器具１は、火薬体を用いて噴出体２を発射させるように構成してもよい。
【００１６】
筒体３は、図２に示すように、前後方向に伸びる略円筒形状の筒部材３１と、筒部材３１の後端部に固定される接続部材３２とを備える。筒部材３１は、共に樹脂製の円筒部３１１と保持部３１２とで構成されている。
【００１７】
円筒部３１１は、その外径及び内径がそれぞれ前後方向（軸線方向）全域に亘って略一定の円筒形状である。保持部３１２は、その略中心に所定の径の孔を有する円板形状であり、その外形が円筒部３１１の内径とほぼ等しい。
【００１８】
保持部３１２は、その前後方向（軸線方向）の長さが円筒部３１１の前後方向の長さに比して短くなっており、その後面３１２ａが円筒部３１１の後端縁３１１ａに略面一となるように圧入されて固定されている。
【００１９】
即ち、筒部材３１は、その前後両端部が開口しており、後端部（保持部３１２）での内径が前端部での内径よりも小さくなっている。尚、筒体３は、前方に開口する中空の形状であれば特に限定されず、円柱形状、角柱形状、円錐形状、角錐形状、瓶形状（段差形状）であってもよい。また、筒を構成する壁を多重構造としてもよい。
【００２０】
接続部材３２は保持部３１２に圧入されて固定されている。具体的には、接続部材３２は、その外径が保持部３１２の孔径にほぼ等しい樹脂製の略円筒形状であり、前後方向（軸線方向）の長さが円筒部３１１より短く保持部３１２より長くなっている。接続部材３２は、その軸線方向の略中央付近まで保持部３１２の孔に圧入されて、例えばネジ等により円筒部３１１と保持部３１２とに締結固定されている。即ち、接続部材３２は、筒部材３１の後端縁３１ａから後方に突出するように筒部材３１に固定されている。
【００２１】
また、接続部材３２には、筒部材３１の後端縁３１ａよりも後方側に、その周方向全域に亘る第１溝部３２ａが設けられている。そして、第１溝部３２ａには、その外径が接続部材３２の外径より大きい例えばウレタンゴム製の第１リングＲ１が嵌め込まれて固定されている。
【００２２】
また、接続部材３２には、第１リングＲ１より後方側にＬ溝部３２ｃが設けられている。具体的には、図６に示すように、Ｌ溝部３２ｃは、接続部材３２の後端縁３２ｂから前方へ向けて伸びる第１Ｌ溝部３２ｄと、第１Ｌ溝部３２ｄの前端部から接続部材３２の周方向に伸びる第２Ｌ溝部３２ｅとで構成され、略Ｌ字状に連続した形状の溝である。
【００２３】
筒部材３１の内部には、受圧体５が収納されている。具体的には、図２に示すように、受圧体５は、例えば発砲性樹脂製の円柱体であり、その外径が円筒部３１１の内径よりも若干大きくなっている。受圧体５は、円筒部３１１の内周面と気密状態で且つ、前後方向に移動可能となるように円筒部３１１に圧入されている。このように気密状態となるように圧入することで、圧縮気体からの圧力を逃しにくくなる。尚、受圧体５は、円筒部３１１の内周面との間に僅かに隙間が形成される所謂隙間嵌めの状態で円筒部３１１に収納してもよい。隙間嵌めとすると、受圧体５と円筒部３１１との間の摩擦抵抗が低減され、前後方向への移動がスムーズになる。
【００２４】
また、受圧体５は、接続部材３２より前方側に設けられており、本実施形態では接続部材３２の前端縁３２ｆとの間に若干の隙間が形成されている。尚、受圧体５は、接続部材３２の前端縁３２ｆに接するように配置してもよい。
【００２５】
噴出体２は、図３に示すように、噴出本体２１と噴出本体２１に紐体２３を介して連結される落下傘２２とを備える。噴出本体２１は、筒体３の内部に収納することができる大きさのものであり、その比重は落下傘２２の比重よりも大きくなっている。本実施形態では、噴出本体２１としてぬいぐるみを用いている。尚、噴出本体２１は、例えばコットンボール等の球体や造花などでもよい。
【００２６】
落下傘２２は、樹脂製のシートを傘状（碗状）に形成したものであり、紐体２３を介して噴出本体２１に連結されている。具体的には、紐体２３は、合計８本用意されており、それぞれの一端部が落下傘２２の下部２２ａに周方向に等間隔に取り付けられ、他端部が束ねられて噴出本体２１に取り付けられている。尚、各図においては、紐体２３の本数は省略して示している。
【００２７】
また、噴出体２は、図１に示すように、紐体２３が落下傘２２に巻き付いた状態で筒体３の内部に収納されている。具体的には、落下傘２２は折畳まれており、紐体２３は折畳まれた落下傘２２に巻き付けられている。より具体的には、落下傘２２は、その下部２２ａが内側となるように折畳まれており、紐体２３は、その巻き付け方向が筒体３の軸線方向（縦巻き）となるように落下傘２２に巻き付けられている。本実施形態では、落下傘２２は、筒体３の内部が気密状態となるように折畳まれており、紐体２３は、その巻き付け位置が折畳まれた落下傘２２の中央となるように巻き付けられている。
【００２８】
より詳細に説明すると、落下傘２２は、図４（ａ）に示すように、その下部２２ａを束ねた状態（閉じた状態）にして、図４（ｂ）に示すように、落下傘２２の上下方向（落下傘２２を閉じた状態としたときの頂部２２ｂと下部２２ａとが並ぶ方向）の略中央付近（二点鎖線Ｌ１）で半分に折畳んで、更に、図４（ｃ）に示すように、下部２２ａが外側となるように半折状態の落下傘２２を半分（二点鎖線Ｌ２の位置）に折畳む。即ち、落下傘２２をその下部２２ａが頂部２２ｂよりも外側となるように四折状に折畳む。
【００２９】
そして、図４（ｄ）に示すように、全ての紐体２３を束ねて、巻き付け位置が四折状の落下傘２２の上下方向略中央付近となるように、束ねた紐体２３を落下傘２２の周方向に１周巻き付ける。つまり、巻き付け方向と落下傘２２の折目（二点鎖線Ｌ１，Ｌ２）とが略平行となるように巻き付ける。
【００３０】
そして、図３に示すように、落下傘２２の下部２２ａが内側となるように、即ち、落下傘２２の周方向に沿って折目ができ、しかも、落下傘２２の下部２２ａが外部から見えないように、巻き付け位置にて四折状の落下傘２２を折畳む。このとき、落下傘２２は、筒体３の円筒部３１１の内部が気密状態となるように折畳む。即ち、落下傘２２は、円筒部３１１の内径と略等しい径の円柱形状となるように折畳む。
【００３１】
このように、落下傘２２が略円柱形となるように下部２２ａを内側にして折畳まれ、且つ、紐体２３の巻き付け位置が円柱形状の径方向略中央の位置となり、しかも、紐体２３の巻き付け方向が円柱部３１１の軸線方向となるように、噴出体２は円筒部３１１の内部に収納されている。尚、紐体２３の落下傘２２への巻き付け方は、噴出体２が飛んでいる間にほどけるような巻き方であれば何れの巻き方であってもよい。例えば、巻き付け方向が周方向（横巻き）となるようにしてもよいし、落下傘２２に複数回巻きつけてもよい。或いは、折畳んだ落下傘２２の中央を避けて（即ち、折畳んだ落下傘２２の端に編芯して）巻き付けてもよい。また、落下傘２２は、三折、半折等に折畳んで収納してもよい。或いは、落下傘２２を閉じた状態にするのみで折畳まずに収納してもよい。更に、落下傘２２をロール状に巻き取った状態としてもよい。
【００３２】
また、噴出本体２１は、落下傘２２の前方側に配置されている。具体的には、噴出本体２１と落下傘２２とが接した状態で、噴出本体２１は落下傘２２の前方側に配備されている。本実施形態では、噴出本体２１は、その下端が落下傘２２に接している。
【００３３】
また、本実施形態では、噴出体２は、前後に２つ並べて収納されている。具体的には、後側の噴出体２に接するように前側の噴出体２が収納されている。尚、噴出体２は、１つだけでもよいし、３つ以上前後に並べて配置してもよい。
【００３４】
発射体４は、圧縮気体による圧力によって噴出体２を発射させるものである。具体的には、図５に示すように、発射体４は、圧縮気体の流路となる通気孔４１１を備えた発射本体４１と、圧縮気体を封入したボンベ（図示しない）を収納するボンベ収納部４２１を備えた把持体４２と、ボンベ収納部４２１を閉塞する蓋体４３とを備える。
【００３５】
発射本体４１は、前後方向に伸びる樹脂製の筒状体で後部が斜め下方に傾斜した形状であり、その後端部は、斜め下方に向けてねじが切られて第１おねじ部４１ａとなっている。また、発射本体４１は、圧縮気体が通過する通気孔４１１を有する。具体的には、通気孔４１１は、発射本体４１の前面４１ｂから後方へ向けて形成された第１通気孔４１１ａと、発射本体４１の後面４１ｃから斜め上方へ向けて形成された第３通気孔４１１ｃと、第１通気孔４１１ａと第３通気孔４１１ｃとを繋ぐ第２通気孔４１１ｂとで構成されている。
【００３６】
第１通気孔４１１ａは、その径が接続部材３２の外径より若干大きく、第１ピンＰ１が上方から径方向内側へ向けて突出している。また、第３通気孔４１１ｃは、その径が第１通気孔４１１ａより小さい。また、第２通気孔４１１ｂは、その径が第３通気孔４１１ｃより小さく、前側が第１通気孔４１１ａに連通し、後側が第３通気孔４１１ｃに連通することによって、第１通気孔４１１ａと第３通気孔４１１ｃとを繋いでいる。即ち、通気孔４１１は、発射本体４１を前面４１ｂから後面４１ｃにかけて貫通した孔であり、その中途部分で屈曲した孔である。
【００３７】
また、第１おねじ部４１ａの基端部には、第１おねじ部４１ａの全周に亘る第２溝部４１ｄが形成されている。そして、第２溝部４１ｄには、その外径が第１おねじ部４１ａの外径より大きい例えばウレタンゴム製の第２リングＲ２が嵌め込まれて固定されている。
【００３８】
また、発射本体４１には、トリガーＴが設けられている。具体的には、トリガーＴは、第２通気孔４１１ｂの下方側に配備されており、横方向（前後方向と上下方向とに直行する方向）に伸びる支持ピンＰＴによって発射本体４１に固定され、支持ピンＰＴを軸にして前後方向に回動自在となっている。
【００３９】
トリガーＴの上端部には、斜め上方に向けて突出する第２ピンＰ２が固定して設けられている。この第２ピンＰ２は、その軸線が第３通気孔４１１ｃの軸線に直交するように設けられており、トリガーＴの前後方向の動きに連動して軸線方向に進退自在であり、第３通気孔４１１ｃに進退自在となっている。また、第２ピンＰ２の下方側で第２リングＲ２の上方側には、第２バネＳ２が設けられている。第２バネＳ２は、第２ピンＰ２が第３通気孔４１１ｃ内に突出する方向にトリガーＴを付勢している。
【００４０】
つまり、トリガーＴの支持ピンＰＴより下側の部分を後方側に引くと、第２ピンＰ２は第３通気孔４１１ｃ内から突出しなくなり、トリガーＴを引く力を解除すると、第２バネＳ２の付勢力によってトリガーＴが回動し、これに連動して第２ピンＰ２が第３通気孔４１１ｃ内に突出する。尚、支持ピンＰＴの下方には、支持ピンＰＴと略平行に伸びる安全ピンＰＳが設けられており、トリガーＴの回動を防止している。
【００４１】
第３通気孔４１１ｃには、第１バネＳ１と金属製の尖頭体４４とが収納されている。尖頭体４４は、第３通気孔４１１ｃの軸線方向に伸びる略円筒形状であり、上端部４４ａが軸線方向に開口し下端部４４ｂが閉塞している。尖頭体４４は、その外径が第３通気孔４１１ｃの径より小さく第２通気孔４１１ｂの径より大きい。また、尖頭体４４の上端部４４ａには、全周に亘る係止溝４４ｃが設けられており、下端部４４ｂには、斜め下方に向けて突出するように先端が尖った孔開ピン４４ｄが固定されて設けられている。
【００４２】
尖頭体４４は、第１バネＳ１が尖頭体４４の上端部４４ａの開口に嵌め込まれた状態で第３通気孔４１１ｃに収納され、第２ピンＰ２と係止溝４４ｃとが係合するまで押し込まれている。つまり、尖頭体４４は、第２ピンＰ２と係止溝４４ｃとが係合しているときは、第１バネＳ１によって斜め下方に付勢された状態で発射本体４１に係止しており、第２ピンＰ２と係止溝４４ｃとの係合が解除されると、第１バネＳ１の付勢力によって斜め下方に勢い良く移動する。
【００４３】
把持体４２は、第３通気孔４１１ｃに臨むように配置され、圧縮気体を封入したボンベを収納するボンベ収納部４２１を備えている。具体的には、把持体４２は、斜め上下方向（第３通気孔４１１ｃの軸線方向）に伸びる樹脂製の略円筒形状で、内部の孔のうち上下両端部を除いた領域がボンベ収納部４２１となっている。そして、その上下両端部には、第１めねじ部４２２と第２めねじ部４２３とがそれぞれ形成されている。
【００４４】
把持体４２は、第１めねじ部４２２が発射本体４１の第１おねじ部４１ａに螺合されることにより、第３通気孔４１１ｃの軸線と把持体４２の軸線とが略一致した状態で発射本体４１に接続される。このとき、第２リングＲ２が発射本体４１と把持部との間に挟み込まれることによって、発射本体４１と把持部とが気密状態で接続されている。
【００４５】
圧縮気体を封入したボンベは、金属製の円筒容器に圧縮した気体を充填して密封したものである。封入される気体としては、空気等が好ましく、引火の危険もなくコンプレッサなどで容易に圧縮して封入することができる。
【００４６】
ボンベ収納部４２１を閉塞する蓋体４３は、把持体４２の下端部に取り付けられる。具体的には、蓋体４３は、ボンベ収納部４２１の軸線方向に伸びる樹脂製の円柱体であり、その上端部に第２おねじ部４３ａを有しており、第２おねじ部４３ａの基端部には、第２おねじ部４３ａの全周に亘る第３溝部４３ｂが形成されている。そして、第３溝部４３ｂには、その外径が第２おねじ部４３ａの外径より大きい例えばウレタンゴム製の第３リングＲ３が嵌め込まれて固定されている。
【００４７】
蓋体４３は、第２おねじ部４３ａが把持体４２の第２めねじ部４２３に螺合されることによって、把持体４２の下端部に接続され、ボンベ収納部４２１を閉塞する。このとき、第３リングＲ３が把持部と蓋体４３との間に挟み込まれることによって、把持部と蓋体４３とが気密状態で接続されている。
【００４８】
以上のような構成の発射体４は、筒体３に着脱自在に接続されている。具体的には、図６に示すように、筒体３の接続部材３２が発射本体４１の第１通気孔４１１ａに嵌め込まれた状態で接続されている。接続の際には、第１通気孔４１１ａに上方から突出している第１ピンＰ１が接続部材３２の第１Ｌ溝部３２ｄに嵌るように位置合わせをして接続部材３２を第１通気孔４１１ａに挿入し、続けて、第１ピンＰ１が第２Ｌ溝部３２ｅに嵌るように筒体３をその周方向に回転させる。このとき、第１リングＲ１が接続部材３２と第１通気孔４１１ａとの間の隙間を埋め、筒体３と発射体４とが気密状態で接続される。
【００４９】
以上の構成からなる発射器具１を使用すべく、把持体４２を持って筒部材３１の前端部を斜め上方へ向け、トリガーＴを引いて回動させると、第２ピンＰ２が第３通気孔４１１ｃから抜けて、第２ピンＰ２と係止溝４４ｃとの係合が解除され、尖頭体４４が第１バネＳ１の付勢力によって斜め下方に勢い良く移動する。そして、尖頭体４４の孔開ピン４４ｄがボンベ収納部４２１に収納したボンベに衝突して、ボンベの円筒容器に孔が開く。そうすると、円筒容器に封入されている圧縮気体は、開いた孔から勢い良く噴出し、第３通気孔４１１ｃと第２通気孔４１１ｂと第１通気孔４１１ａとを順に通過し、更に、接続部材３２の内部を通過して円筒部３１１の内部に進入し、受圧体５を前方へ押し出すことによって噴出体２を前方へ押し出す。
【００５０】
こうして、噴出体２は、圧縮気体の圧力によって筒体３から前方へ発射されるのであるが、上述のように、落下傘２２には紐体２３が巻き付いているので、紐体２３は、発射後に空中を飛びながら落下傘２２からほどけ、紐体２３が落下傘２２からほどけると、落下傘２２が開いた状態となる。
【００５１】
即ち、噴出体２は、紐体２３が空中を飛びながらほどけ、紐体２３がほどけるまでの間に落下傘２２による抵抗を受けることなく勢い良く遠くまで飛んで、最終的に落下傘２２が開いてゆっくりと降下して着地する。従って、例えば、披露宴会場や庭等のような広い場所での祝宴などに用いた場合に、十分に演出効果を発揮することができる。
【００５２】
また、落下傘２２は折畳まれているので、紐体２３が落下傘２２からほどけるまでの間だけでなく、落下傘２２が折畳んだ状態から開いた状態となるまでの間においても、噴出体２は勢い良く飛ぶこととなる。よって、噴出体２をより遠くまで飛ばすことができる。しかも、落下傘２２は、空中で折畳んでコンパクトになった状態から開いた状態へと変化するので演出効果が増す。
【００５３】
更に、落下傘２２は、その下部２２ａが内側となるように折畳まれているので、発射器具１を使用しないときに、落下傘２２の折畳み状態や紐体２３の巻き付け状態が保持され易くなる。
【００５４】
また更に、落下傘２２は、円筒部３１１の内径と略等しい径の円柱形状に折畳まれているので、筒体３の内部が気密状態となる。よって、受圧体５だけでなく落下傘２２でも圧縮気体による圧力を受けることができるという利点もある。
【００５５】
また、紐体２３の巻き付け位置は、円柱形状に折畳まれた落下傘２２の径方向略中央の位置となっているので、発射前に不用意に紐体２３がほどけにくく、しかも、発射後にはスムーズにほどける。
【００５６】
更に、紐体２３の巻き付け方向は、円柱部３１１の軸線方向となっている。即ち、紐体２３の巻き付け方向は、噴出体２が飛ぶ方向に沿った方向となっているので、噴出体２が飛んでいる際中に、紐体２３が落下傘２２からスムーズにほどける。
【００５７】
また、噴出本体２１は、落下傘２２の前方側に配置されているので、噴出本体２１が落下傘２２に先行して落下傘２２を引っ張るように飛ぶこととなる。よって、落下傘２２を噴出本体２１の後方側で確実に開かせることができる利点がある。
【００５８】
更に、噴出本体２１と落下傘２２とが接するように配置しているので、ボンベからの気体圧力を効率良く噴出体２が飛ぶための動力として利用できる。
【００５９】
また更に、噴出本体２１の比重は落下傘２２の比重よりも大きいので、噴出体２全体として遠くに飛び易くなり、また、噴出本体２１が落下傘２２に先行して飛び易くなるので、紐体２３が落下傘２２からほどけ易くなり、スムーズに落下傘２２が開くという利点がある。
【００６０】
尚、本実施形態では、噴出本体２１が落下傘２２の前方側に配置されている場合について説明したが、これに限られず、落下傘２２の後方側に配置されていてもよい。また、上下方向或いは横方向に並べて配置されていてもよい。
【００６１】
尚、本実施形態では、噴出本体２１と落下傘２２とが接するように配置している場合について説明したが、これに限られず、噴出本体２１と落下傘２２とが離間するように配置してもよい。
【図面の簡単な説明】
【００６２】
【図１】本発明の一実施形態に係る発射器具を示す正面図。
【図２】同発射器具を構成する筒体を示す断面図。
【図３】噴出体を示す斜視図。
【図４】（ａ）乃至（ｄ）は、落下傘の折畳み方と紐体の巻き付け方を示す概略図。
【図５】同発射器具を構成する発射体を示す断面図。
【図６】筒体と発射体とが接続される様子を示す斜視図。
【符号の説明】
【００６３】
１…発射器具、２…噴出体、３…筒体、４…発射体、５…受圧体、２１…噴出本体、２２…落下傘、２３…紐体、３１…筒部材、３２…接続部材、４１…発射本体、４２…把持体、４３…蓋体、４４…尖頭体、４１１…通気孔、４２１…ボンベ収納部、Ｔ…トリガー
【図１】
0004686390.tif 000002
【図２】
0004686390.tif 000003
【図３】
0004686390.tif 000004
【図４】
0004686390.tif 000005
【図５】
0004686390.tif 000006
【図６】
0004686390.tif 000007